(57)【要約】  シェーピングエア噴出部材（９）は、導電性材料を用いて筒状に形成されると共に前端が回転霧化頭（４）の長さ方向の中間部位に位置する状態で回転霧化頭（４）の外周側に配置されている。シェーピングエア噴出部材（９）には、前面部位（９Ｄ）に回転霧化頭（４）から噴霧された塗料粒子に向けてシェーピングエアを噴出する多数個のエア噴出孔（１０，１２）が設けられている。この上で、シェーピングエア噴出部材（９）の前面部位（９Ｄ）の外径側には、径方向に延びる円環状体からなり、外部電極部材（６）の各電極（６Ｃ）から回転霧化頭（４）に向かう電気力線を遮蔽するシールド部材（１４）が設けられている。
2017141963.tif 000002
【特許請求の範囲】
【請求項１】
接地電位に保持され、圧縮エアが供給されることにより回転軸を回転するエアモータと、
前記回転軸の前側に設けられると共に接地電位に保持された筒状体からなり、前記エアモータによって回転する間に供給された塗料を前端の放出端縁から噴霧する回転霧化頭と、
前記回転霧化頭よりも後側に位置して前記エアモータの外周側に設けられ複数個の電極に負の高電圧が印加されることによって前記回転霧化頭の前記放出端縁から噴霧された塗料粒子を負の電位に帯電させる外部電極部材と、
導電性材料を用いて筒状に形成されると共に前端が前記回転霧化頭の長さ方向の中間部位に位置する状態で前記回転霧化頭の外周側に配置され、前記前端に前記回転霧化頭から噴霧された塗料粒子に向けてシェーピングエアを噴出する多数個のエア噴出孔が周方向の全周に亘って設けられたシェーピングエア噴出部材とを含んで構成された静電塗装機において、
前記シェーピングエア噴出部材の前側部位の外径側には、径方向に延びる円環状体からなり、前記外部電極部材の各電極から前記回転霧化頭に向かう電気力線を遮蔽するシールド部材が設けられたことを特徴とする静電塗装機。
【請求項２】
前記シールド部材は、前記シェーピングエア噴出部材の外周側から径方向の外向きに延びる円環状の部材として形成されてなる請求項１に記載の静電塗装機。
【請求項３】
前記シールド部材は、前記シェーピングエア噴出部材と一体に形成され、前記シェーピングエア噴出部材を介して接地電位に保持されてなる請求項１に記載の静電塗装機。
【請求項４】
前記シールド部材は、前記シェーピングエア噴出部材と別個に設けられた導電性材料からなり、前記シェーピングエア噴出部材の外周側に電気的に接続された状態で取付けられてなる請求項１に記載の静電塗装機。
【請求項５】
前記エアモータの外周側には、前記エアモータを取囲み、かつ前記エアモータよりも後方に延びた塗装機支持体が設けられ、
前記外部電極部材は、前記塗装機支持体の外周側に設けられ絶縁性樹脂材料からなる環状の外部電極支持筒体と、該外部電極支持筒体の前側に周方向に配列された前記電極とにより構成されてなる請求項１に記載の静電塗装機。
【請求項６】
前記外部電極部材と前記シェーピングエア噴出部材との間には、絶縁性材料によって筒状に形成され、前記エアモータを取囲むカバー部材が設けられてなる請求項１に記載の静電塗装機。
【請求項７】
前記シールド部材の直径寸法Ｅは、前記回転霧化頭の前記放出端縁の直径寸法Ｄに対し、１．４Ｄ≦Ｅ≦３．０Ｄである請求項１に記載の静電塗装機。
【請求項８】
前記回転霧化頭の前記放出端縁と前記シールド部材の前面部との間の軸方向の距離寸法Ｌは、１ｍｍ≦Ｌ≦５０ｍｍである請求項１に記載の静電塗装機。
【発明の詳細な説明】
【技術分野】
【０００１】
本発明は、噴霧した塗料に高電圧を印加して塗装を行うようにした静電塗装機に関する。
【背景技術】
【０００２】
一般に、静電塗装機としては回転霧化頭型の静電塗装機が知られている。この静電塗装機は、接地電位に保持され、圧縮エアが供給されることにより回転軸を回転するエアモータと、前記回転軸の前側に設けられると共に接地電位に保持された筒状体からなり、前記エアモータによって回転する間に供給された塗料を前端の放出端縁から噴霧する回転霧化頭と、前記回転霧化頭よりも後側に位置して前記エアモータの外周側に設けられ複数個の電極に負の高電圧が印加されることによって前記回転霧化頭の前記放出端縁から噴霧された塗料粒子を負の電位に帯電させる外部電極部材と、導電性材料を用いて筒状に形成されると共に前端が前記回転霧化頭の長さ方向の中間部位に位置する状態で前記回転霧化頭の外周側に配置され、前記前端に前記回転霧化頭から噴霧された塗料粒子に向けてシェーピングエアを噴出する多数個のエア噴出孔が周方向の全周に亘って設けられたシェーピングエア噴出部材とを含んで構成されている（特許文献１）。【０００３】
このように構成された静電塗装機を用いて塗装を行う場合には、エアモータによって回転霧化頭を高速回転させ、この状態で回転霧化頭に塗料を供給する。これにより、回転霧化頭に供給された塗料は、回転霧化頭が回転するときの遠心力によって微粒化され、放出端縁から塗料粒子として噴霧される。このときに、シェーピングエア噴出部材は、各エア噴出孔から噴出されるシェーピングエアを塗料粒子に噴き付ける。これによって、シェーピングエアは、塗料粒子の被塗物方向の運動ベクトル成分を制御し、塗料粒子の噴霧パターンを所望の形状に整える。【０００４】
さらに、外部電極部材は、各電極に負の高電圧が印加されることにより、回転霧化頭の放出端縁から噴霧された塗料粒子を負極性帯電させる。これにより、回転霧化頭から噴霧された塗料粒子は、間接的に負極性帯電する。従って、静電塗装機は、帯電した塗料粒子を各電極と被塗物との間に形成された静電界に沿って飛行させ、この塗料粒子を被塗物に塗着させることができる。
【先行技術文献】
【特許文献】
【０００５】
【特許文献１】特開平８−３３２４１８号公報
【発明の概要】
【０００６】
ここで、静電塗装機は、遠心力によって回転霧化頭から径方向の外側に飛行する塗料粒子に対し、シェーピングエア噴出部材の各エア噴出孔からシェーピングエアを噴き付けることにより、塗料粒子の向きを徐々に被塗物に向けつつ塗料粒子を加速させることができる。また、外部電極部材は、噴霧された塗料粒子を各電極によって負極性に帯電させることにより、接地電位に保持されている被塗物との間に形成された静電界に沿って塗料粒子を飛行させ、塗着効率を高めている。
【０００７】
しかし、塗料（塗料液糸）が回転霧化頭の放出端縁から切離されて塗料粒子になった直後は、シェーピングエアが塗料粒子に及ぼす力積が小さい。このため、被塗物に向かう軸方向の運動ベクトル成分は小さく、径方向の外向きの運動ベクトル成分が主である。軸方向の運動ベクトル成分はシェーピングエアの作用で得られる。しかし、そのエアは、環状に配置された有限個の孔から噴出されるため、均一な圧力ではなく、また、霧化された塗料粒子の直径寸法および質量にはバラつきがある。このため、粒子の空気抵抗や慣性も異なるので、軸方向の運動ベクトル成分は一定とはならない。
【０００８】
塗料粒子がコロナ放電によって負極性で帯電したとき、この塗料粒子には、被塗物と同じ接地電位であるシェーピングエア噴出部材や回転霧化頭に吸着しようとするクーロン力が働く。一方、塗料粒子には、シェーピングエアを作用させている。しかし、このシェーピングエアによってクーロン力に抗するに十分な軸方向の運動ベクトルが得られていなければ、塗料粒子は、塗装機方向に戻る。この結果、戻された塗料粒子は、塗装機に付着してしまう。
【０００９】
これにより、特許文献１の静電塗装機は、付着した塗料による電気的な短絡を防止するために、高い頻度での洗浄作業が必要になるから、生産性が低下してしまう。特に、自動車の車内のように狭い場所を塗装する場合には、塗料が付着し易くなるという問題がある。
【００１０】
本発明は上述した従来技術の問題に鑑みなされたもので、本発明の目的は、回転霧化頭、シェーピングエア噴出部材への塗料の付着を抑制することができるようにした静電塗装機を提供することにある。
【００１１】
本発明は、接地電位に保持され、圧縮エアが供給されることにより回転軸を回転するエアモータと、前記回転軸の前側に設けられると共に接地電位に保持された筒状体からなり、前記エアモータによって回転する間に供給された塗料を前端の放出端縁から噴霧する回転霧化頭と、前記回転霧化頭よりも後側に位置して前記エアモータの外周側に設けられ複数個の電極に負の高電圧が印加されることによって前記回転霧化頭の前記放出端縁から噴霧された塗料粒子を負の電位に帯電させる外部電極部材と、導電性材料を用いて筒状に形成されると共に前端が前記回転霧化頭の長さ方向の中間部位に位置する状態で前記回転霧化頭の外周側に配置され、前記前端に前記回転霧化頭から噴霧された塗料粒子に向けてシェーピングエアを噴出する多数個のエア噴出孔が周方向の全周に亘って設けられたシェーピングエア噴出部材とを含んで構成された静電塗装機において、前記シェーピングエア噴出部材の前側部位の外周側には、径方向に延びる円環状体からなり、前記外部電極部材の各電極から前記回転霧化頭に向かう電気力線を遮蔽するシールド部材が設けられたことにある。
【００１２】
本発明によれば、回転霧化頭から噴霧された塗料粒子を被塗物に向けて飛行させることにより、回転霧化頭、シェーピングエア噴出部材への塗料の付着を抑制することができる。
【図面の簡単な説明】
【００１３】
【図１】本発明の第１の実施の形態による間接帯電方式の回転霧化頭型静電塗装機を示す断面図である。
【図２】間接帯電方式の回転霧化頭型静電塗装機を示す斜視図である。
【図３】回転霧化頭型静電塗装機の前側部分を拡大して示す断面図である。
【図４】シールド部材を設けた場合の塗料粒子、シェーピングエア、電気力線の関係を模式的に示す説明図である。
【図５】第２の実施の形態による回転霧化頭型静電塗装機の前側部分を拡大して示す断面図である。
【図６】第３の実施の形態による回転霧化頭型静電塗装機の前側部分を拡大して示す断面図である。
【図７】第４の実施の形態による回転霧化頭型静電塗装機の前側部分を拡大して示す断面図である。
【図８】第１の変形例によるシールド部材をシェーピングエア噴出部材、回転霧化頭と共に示す要部拡大の斜視図である。
【図９】第２の変形例によるシールド部材をシェーピングエア噴出部材、回転霧化頭と共に示す要部拡大の斜視図である。
【図１０】第３の変形例による外部電極部材を備えた回転霧化頭型静電塗装機を示す断面図である。
【図１１】第４の変形例による外部電極部材とシールド部材を備えた回転霧化頭型静電塗装機を示す断面図である。
【図１２】比較例による塗料粒子、シェーピングエア、電気力線の関係を模式的に示す説明図である。
【発明を実施するための形態】
【００１４】
以下、本発明の実施の形態による間接帯電方式の回転霧化頭型静電塗装機について、添付図面に従って詳細に説明する。
【００１５】
図１ないし図４は、本発明の第１の実施の形態を示している。この第１の実施の形態では、シェーピングエア噴出部材の前側部位の外周側から径方向の外側に真直ぐに延びた鍔状(円板状)のシールド部材を備えた回転霧化頭型静電塗装機を例に挙げて説明する。なお、本実施の形態では、後述する回転霧化頭型静電塗装機１について、被塗物１５に近い方向（或いは、シェーピングエアの噴出方向）を前側とし、この前側と反対側で被塗物１５と離れた方向を後側として配置関係を述べるものとする。
【００１６】
図１において、第１の実施の形態による回転霧化頭型静電塗装機１（以下、単に静電塗装機１という）は、後述の外部電極部材６により回転霧化頭４から噴霧された塗料を高電圧に間接的に帯電させる間接帯電方式の回転霧化頭型静電塗装機として構成されている。静電塗装機１は、例えば塗装用ロボットのアーム（図示せず）の先端に取付けられている。
【００１７】
塗装機支持体２は、後述するエアモータ３の外周側で該エアモータ３を取囲み、かつエアモータ３よりも後方に延びて設けられている。塗装機支持体２は、基端側の取付筒部２Ａを介して前述したアームの先端に取付けられている。ここで、塗装機支持体２は、例えば剛性を有する絶縁性樹脂材料によって構成されている。
【００１８】
塗装機支持体２の先端側には、前方に開口するように、モータ収容部２Ｂが設けられている。このモータ収容部２Ｂの開口側には、めねじ部２Ｃが設けられている。さらに、塗装機支持体２には、モータ収容部２Ｂの底部の中央位置（後述する回転軸３Ｃと同軸）に、後述するフィードチューブ５の基端側が挿嵌される挿嵌孔２Ｄが設けられている。
【００１９】
エアモータ３は、塗装機支持体２のモータ収容部２Ｂ内に設けられている。このエアモータ３は、圧縮エアを動力源として後述の回転軸３Ｃおよび回転霧化頭４を、例えば３０００〜１５００００ｒｐｍの高速で回転させるものである。エアモータ３は、例えばアルミニウム合金を含む導電性金属材料によって構成され、接地電位に保持されている。
【００２０】
エアモータ３は、塗装機支持体２の前側に取付けられた段付円筒状のモータケース３Ａと、該モータケース３Ａの後側寄りに位置して回転可能に収容された例えば羽根車式のタービン３Ｂと、前記モータケース３Ａの中心位置に回転自在に設けられ、後端側が前記タービン３Ｂに取付けられた回転軸３Ｃとを含んで構成されている。
【００２１】
エアモータ３のモータケース３Ａは、回転軸３Ｃと同軸に配置された円筒体として形成されている。モータケース３Ａは、塗装機支持体２のモータ収容部２Ｂ内に挿嵌される大径な大径筒３Ａ１と、該大径筒３Ａ１から前方に突出した小径な小径筒３Ａ２とにより段付筒状に形成されている。
【００２２】
モータケース３Ａは、塗装機支持体２のモータ収容部２Ｂ内に挿嵌される。この状態で、モータケース３Ａは、塗装機支持体２のめねじ部２Ｃに螺着された円環状のねじ部材３Ｄによってモータ収容部２Ｂ内に固定されている。
【００２３】
回転軸３Ｃは、モータケース３Ａ内にエア軸受（図示せず）を介して回転自在に支持された中空な筒状体として形成されている。この回転軸３Ｃは、後端側がタービン３Ｂの中央に取付けられ、前端側がモータケース３Ａから前側に突出している。回転軸３Ｃの前端部には、例えば螺合手段を用いて回転霧化頭４が取付けられている。
【００２４】
回転霧化頭４は、エアモータ３の回転軸３Ｃの前側に設けられている。回転霧化頭４は、例えばアルミニウム合金を含む導電性金属材料によって筒状体として形成され、エアモータ３を通じて接地電位に保持されている。図３に示すように、回転霧化頭４は、例えば長尺な円筒体として形成され、後側が軸方向に直線状に延びた取付部位４Ａとなっている。取付部位４Ａは、例えば螺合手段を用いて回転軸３Ｃの前端部に取付けられている。
【００２５】
回転霧化頭４の前側は、前方に向けて漸次拡開した拡開部位４Ｂとなり、該拡開部位４Ｂの内周面は、供給された塗料を薄膜化する塗料薄膜化面４Ｃとなっている。また、塗料薄膜化面４Ｃの先端（前端）は、薄膜化した塗料を塗料粒子として放出する放出端縁４Ｄとなっている。ここで、回転霧化頭４は、最大の直径寸法、即ち、放出端縁４Ｄの直径が寸法Ｄ（図３参照）に設定されている。
【００２６】
そして、回転霧化頭４は、エアモータ３によって高速回転される。この状態で、回転霧化頭４に後述のフィードチューブ５を通じて塗料が供給されると、その塗料は、塗料薄膜化面４Ｃで薄膜化しつつ、遠心力によって放出端縁４Ｄから噴霧される。この場合、放出端縁４Ｄから噴霧された塗料粒子は、前方に配置された後述の被塗物１５には向かわず、回転霧化頭４の遠心力によって径方向の外側に向けて（放射状に）飛行しようとする。
【００２７】
しかし、放出端縁４Ｄから噴霧された塗料粒子は、後側から後述のシェーピングエア噴出部材９によるシェーピングエアが噴き付けられることにより、徐々に前側の被塗物１５に向かうように加速される。さらに、放出端縁４Ｄから噴霧された塗料粒子は、後述の外部電極部材６によって負極性に帯電させられることにより、接地電位に保持されている被塗物１５との間に形成された静電界に沿って飛行することができる。
【００２８】
フィードチューブ５は、回転軸３Ｃ内に挿通して設けられ、その後端側は、塗装機支持体２の挿嵌孔２Ｄに挿嵌されている。一方、フィードチューブ５の前端側は、回転軸３Ｃから突出して回転霧化頭４内に延在している。フィードチューブ５内には塗料通路が設けられ、該塗料通路は、色替弁装置を介して塗料供給源および洗浄流体供給源（いずれも図示せず）に接続されている。これにより、塗装時には、塗料供給源から塗料通路を介して供給される塗料は、フィードチューブ５から回転霧化頭４に吐出される。一方、回転霧化頭４の洗浄時、色替時等には、洗浄流体供給源から供給される洗浄流体（シンナ、空気等）は、フィードチューブ５から吐出される。
【００２９】
外部電極部材６は、回転霧化頭４よりも後側に位置してエアモータ３の外周側、即ち、塗装機支持体２の外周側に設けられている。外部電極部材６は、後述する複数個の電極６Ｃに負の高電圧が印加されることによって、回転霧化頭４の放出端縁４Ｄから噴霧された塗料粒子を負の電位に帯電させるものである。
【００３０】
外部電極部材６は、塗装機支持体２の外周側に設けられ絶縁性樹脂材料からなる環状の外部電極支持筒体６Ａと、該外部電極支持筒体６Ａに周方向に等間隔で複数個（例えば８個〜２０個）配列された電極取付穴６Ｂ（２個のみ図示）と、該各電極取付穴６Ｂにそれぞれ取付けられた電極６Ｃとを含んで構成されている。外部電極支持筒体６Ａの前側には、各電極６Ｃの針状部６Ｃ１に対応する個数の孔６Ａ１が設けられている。
【００３１】
ここで、第１の実施の形態による外部電極部材６は、静電塗装機１を車体の内側のように狭い空間で使用するために、塗装機支持体２の後側寄りで該塗装機支持体２の外周側の近傍位置に設けられている。これに伴い、各電極６Ｃの針状部６Ｃ１は、回転霧化頭４に対して軸方向の後側に大きく離間した位置、即ち、エアモータ３の外周側に配置されている。さらに、各電極６Ｃの針状部６Ｃ１は、後述の外側カバー部材８の径方向の外側の近傍位置に配置されている。これにより、塗装作業時には、各電極６Ｃが周囲の部材に干渉するのを抑制することができる。
【００３２】
各電極６Ｃは、抵抗を介して高電圧発生器（いずれも図示せず）に接続されている。従って、各電極６Ｃには、高電圧発生器による負の高電圧が印加される構成となっている。これにより、外部電極部材６は、各電極６Ｃでコロナ放電が生じることによって、回転霧化頭４から噴霧された塗料粒子を負極性に帯電させる。
【００３３】
内側カバー部材７は、後述の外側カバー部材８と一緒にカバー部材を構成するもので、例えば絶縁性の樹脂材料を用い、前側に向け円弧状に縮径した筒状体として形成されている。内側カバー部材７は、エアモータ３を取囲むように、外部電極部材６と後述のシェーピングエア噴出部材９との間に設けられている。内側カバー部材７は、後側が塗装機支持体２の外周側に取付けられ、前側がシェーピングエア噴出部材９の外周面９Ｂの後側部位に取付けられている。
【００３４】
外側カバー部材８は、内側カバー部材７と一緒にカバー部材を構成するもので、内側カバー部材７と同様に、絶縁性の樹脂材料によって前側に向け円弧状に縮径した筒状体として形成されている。外側カバー部材８は、内側カバー部材７のさらに外側からエアモータ３を取囲むように、外部電極部材６とシェーピングエア噴出部材９との間に設けられている。
【００３５】
外側カバー部材８は、後側が内側カバー部材７と外部電極部材６の内周側との間に取付けられ、前側がシェーピングエア噴出部材９の外周面９Ｂの前側部位に取付けられている。この外側カバー部材８は、回転霧化頭４、シェーピングエア噴出部材９の組立作業または分解作業を行うときに、取外すことができる。
【００３６】
シェーピングエア噴出部材９は、前端（後述の前面部位９Ｄ）が回転霧化頭４の長さ方向の中間部位（拡開部位４Ｂの後側）に位置する状態で、回転霧化頭４の外周側に配置されている。シェーピングエア噴出部材９は、例えばアルミニウム合金を含む導電性金属材料によって構成され、エアモータ３を介して接地電位に保持されている。
【００３７】
シェーピングエア噴出部材９は、回転霧化頭４を取囲む段付状の円筒体として形成されている。シェーピングエア噴出部材９の内周面９Ａは、回転霧化頭４の外周面と僅かな隙間をもって対面している。一方、シェーピングエア噴出部材９の外周面９Ｂは、後側が内側カバー取付部位９Ｂ１となり、前側が前方に向けて漸次縮径するテーパ部位９Ｂ２となっている。
【００３８】
内側カバー取付部位９Ｂ１には、内側カバー部材７の前側部位が外嵌状態で取付けられる。テーパ部位９Ｂ２は、中間部の前側寄り位置まで外側カバー部材８に覆われ、それよりも前側は外部に露出している。また、テーパ部位９Ｂ２は、外部電極部材６による電界が一部に集中しないように、円弧面を使用して滑らかに形成されている。
【００３９】
シェーピングエア噴出部材９の後端部位は、円筒状の取付ねじ部９Ｃとなり、該取付ねじ部９Ｃは、塗装機支持体２のめねじ部２Ｃに螺着されるものである。これにより、シェーピングエア噴出部材９は、取付ねじ部９Ｃを用いて塗装機支持体２の前側部位に取付けられている。
【００４０】
ここで、シェーピングエア噴出部材９の前側部位の基本的な形状について詳しく述べる。この場合、シェーピングエア噴出部材９の前側部位は、テーパ部位９Ｂ２の前部から前方に向けて円筒状に延びた範囲、即ち、図２、図３中に二点鎖線で示す円筒状をなした仮想の境界面９Ｅを有している。このシェーピングエア噴出部材９の仮想境界面９Ｅは、同様の形状が比較例としての図１２に記載されている。即ち、シェーピングエア噴出部材９の円筒状の仮想境界面９Ｅは、図１２において、シェーピングエア噴出部材９のテーパ部位９Ｂ２の前側の円筒面９Ｅ′に相当する。これにより、シェーピングエア噴出部材９の前側部位に後述のシールド部材１４を設けた場合、円筒状の仮想境界面９Ｅがシェーピングエア噴出部材９とシールド部材１４との境界部となり、仮想境界面９Ｅよりも外径側がシールド部材１４となる。
【００４１】
さらに、図２、図３に示すように、シェーピングエア噴出部材９の前端(前側部位)は、平坦な円環状の前面部位９Ｄとなっている。この前面部位９Ｄには、第１のエア噴出孔１０と第２のエア噴出孔１２が開口して設けられている。前面部位９Ｄは、回転霧化頭４の拡開部位４Ｂの後部位置の周囲に配置されている。
【００４２】
第１のエア噴出孔１０は、前面部位９Ｄの外径側寄りに位置して周方向の全周に亘って等間隔で多数個設けられている。この第１のエア噴出孔１０は、第１のシェーピングエア通路１１を通じて第１のシェーピングエア供給源（図示せず）に接続されている。第１のエア噴出孔１０は、第１のシェーピングエアを回転霧化頭４の放出端縁４Ｄの近傍に向けて噴出するものである。
【００４３】
第２のエア噴出孔１２は、第１のエア噴出孔１０よりも径方向の内側に位置して前面部位９Ｄに周方向の全周に亘って等間隔で多数個設けられている。この第２のエア噴出孔１２は、第２のシェーピングエア通路１３を通じて第２のシェーピングエア供給源（図示せず）に接続されている。第２のエア噴出孔１２は、第２のシェーピングエアを回転霧化頭４の背面に向けて噴出するものである。
【００４４】
これにより、第１のエア噴出孔１０から噴出される第１のシェーピングエアと第２のエア噴出孔１２から噴出される第２のシェーピングエアは、回転霧化頭４の放出端縁４Ｄから放出される塗料の液糸を剪断して塗料粒子の形成を促進すると共に、回転霧化頭４から噴霧された塗料粒子の噴霧パターンを整形する。このとき、第１のシェーピングエアの圧力と第２のシェーピングエアの圧力を適宜調整することによって、噴霧パターンを所望の大きさや形状に変更することができる。さらに、第１，第２のシェーピングエアは、遠心力によって回転霧化頭４の放出端縁４Ｄから径方向の外側に飛行する塗料粒子に噴き付けられることにより、塗料粒子の向きを徐々に被塗物に向けつつ塗料粒子を加速させる。
【００４５】
次に、第１の実施の形態の特徴部分となるシールド部材１４の構成について詳細に述べる。
【００４６】
シールド部材１４は、シェーピングエア噴出部材９の前面部位９Ｄの外径側に位置して、径方向に延びる円環状体として形成されている。このシールド部材１４は、外部電極部材６の各電極６Ｃから回転霧化頭４に向かう電気力線を遮蔽するものである。シールド部材１４は、シェーピングエア噴出部材９の前面部位９Ｄの外径側、即ち、外周面９Ｂのテーパ部位９Ｂ２の前側に位置する仮想境界面９Ｅを境として、その径方向の外向きに延びる円環状の部材、例えば鍔状の板体として形成されている。
【００４７】
シールド部材１４は、仮想境界面９Ｅを境として、その外側にシェーピングエア噴出部材９と一体に形成されている。これにより、シールド部材１４は、シェーピングエア噴出部材９等を介して接地電位に保持されている。
【００４８】
シールド部材１４は、シェーピングエア噴出部材９の前面部位９Ｄと同一平面をなす前面部１４Ａと、該前面部１４Ａと前，後方向の反対側に位置する後面部１４Ｂと、前記前面部１４Ａと後面部１４Ｂの最外周部となる周縁部１４Ｃとを有している。後面部１４Ｂのうち、外周面９Ｂのテーパ部位９Ｂ２との接続部位は、滑らかな円弧状面１４Ｂ１となっている。この円弧状面１４Ｂ１は、角張った隅を無くすことで付着した塗料の洗浄性を高めることができる。
【００４９】
ここで、シールド部材１４の大きさと配設位置について説明する。まず、シールド部材１４の直径寸法Ｅは、回転霧化頭４の放出端縁４Ｄの直径寸法Ｄに対し、下記数１のように設定されている。
【００５０】
【数１】
2017141963.tif 000003
【００５１】
これにより、シールド部材１４は、シェーピングエア噴出部材９から噴出されたシェーピングエアにより、塗料粒子が被塗物１５に向けて十分に加速された後に、この塗料粒子が高電圧に帯電するように外部電極部材６の各電極６Ｃによる電気力線を調整することができる。
【００５２】
また、シールド部材１４の軸方向の設置位置、即ち、回転霧化頭４の放出端縁４Ｄからシールド部材１４の前面部１４Ａまでの後方への距離寸法Ｌは、下記数２のように設定されている。
【００５３】
【数２】
2017141963.tif 000004
【００５４】
この場合、シールド部材１４を回転霧化頭４の放出端縁４Ｄに近い位置に配置、即ち、距離寸法Ｌを小さくすることで、シールド部材１４の直径寸法Ｅを小さく抑えることができる。これにより、シールド部材１４は、コンパクトに形成できるから、車体の内側のように狭い場所でも周囲の部材に干渉することなく塗装することができる。このため、回転霧化頭４とシールド部材１４との距離寸法Ｌは、小さく設定することが望ましい。
【００５５】
一方で、シールド部材１４は、前面部１４Ａとシェーピングエア噴出部材９の前面部位９Ｄとの段差を小さくする（または無くす）ことにより、付着した塗料の洗浄性を高めることができる。さらに、シールド部材１４は、例えば、外部電極部材６の各電極６Ｃの針状部６Ｃ１と回転霧化頭４の放出端縁４Ｄとを繋ぐ直線を遮る位置に形成されている。
【００５６】
次に、静電塗装機１によって被塗物１５に塗装を施す場合の動作について説明する。
【００５７】
まず、比較例として、従来技術の静電塗装機１０１による塗装作業について、図１２を参照しつつ述べる。静電塗装機１０１は、シールド部材１４が設けられていない点を除いて、第１の実施の形態による静電塗装機１と同様の構成となっている。
【００５８】
エアモータ３のタービン３Ｂにタービンエアを供給して回転軸３Ｃを回転させる。これにより、回転軸３Ｃと一緒に回転霧化頭４が高速で回転する。この状態で、色替弁装置（図示せず）で選択された塗料をフィードチューブ５の塗料通路から回転霧化頭４に供給することにより、この塗料を回転霧化頭４の塗料薄膜化面４Ｃで薄膜化しつつ、遠心力によって放出端縁４Ｄから塗料粒子として噴霧することができる。
【００５９】
この場合、図１２中の点線１６のように、回転霧化頭４の放出端縁４Ｄから切離された直後の塗料粒子は、前方に配置された被塗物１５には向かわず、回転霧化頭４による遠心力で径方向の外側に向け放射状に飛行しようとする。そこで、図１２中の一点鎖線の矢示１７で示すように、シェーピングエア噴出部材９は、各エア噴出孔１０，１２から塗料粒子に向けてシェーピングエアを噴き付ける。これにより、シェーピングエアは、その推進力によって塗料粒子を徐々に前側の被塗物１５に向かわせつつ、加速させる。また、シェーピングエアは、塗料粒子を微粒化しつつ、塗料粒子の噴霧パターンを整形することができる。
【００６０】
回転霧化頭４の放出端縁４Ｄから塗料粒子を噴霧したときには、外部電極部材６の各電極６Ｃに、高電圧発生器による負の高電圧が印加される。各電極６Ｃは、接地電位に保持されている被塗物１５との間に電気力線１８を形成すると共に、放出端縁４Ｄから噴霧された塗料粒子を負極性に帯電させる。これにより、塗料粒子は、電気力線１８に沿わせることで被塗物１５に効率よく供給することができる。
【００６１】
しかし、回転霧化頭４、シェーピングエア噴出部材９も接地電位に保持されている。このため、各電極６Ｃと回転霧化頭４の前端（放出端縁４Ｄ）との間にも、電気力線１９が形成され、各電極６Ｃとシェーピングエア噴出部材９の外周面９Ｂとの間にも、電気力線２０が形成される。
【００６２】
ここで、各電極６Ｃから回転霧化頭４に向かう電気力線１９は、回転霧化頭４の放出端縁４Ｄに集中するから、各電極６Ｃの先端に加え、この放出端縁４Ｄでも放電（コロナ放電）が生じる。このとき、放電によるイオン粒子が回転霧化頭４の前端位置で塗料粒子に衝突し、塗料粒子は負極性に帯電（衝突帯電）する。このため、回転霧化頭４の前端位置が、塗料粒子が負極性に帯電する帯電領域２１（二点鎖線で囲まれた範囲）となる。
【００６３】
これにより、回転霧化頭４の放出端縁４Ｄから切離された直後の塗料粒子が負極性に帯電してしまう。切離された直後の塗料粒子は、シェーピングエアによる前方への推進力が弱く、径方向の外向きの運動ベクトル成分を有している。しかも、シェーピングエアは、環状に配置された多数個のエア噴出孔１０，１２から噴出されるものであるから、均一な噴出圧力を得ることは困難である。さらに、霧化された塗料粒子の直径寸法および質量にはバラつきがある。このため、軸方向の運動ベクトル成分は、粒子の空気抵抗や慣性も異なるために一定とはならない。
【００６４】
この状態で塗料粒子が負極性に帯電すると、点線２２で示すように、帯電塗料粒子のうち、シェーピングエアの作用が特に弱い粒子は、外部電極部材６の近くに配置された回転霧化頭４、シェーピングエア噴出部材９等にクーロン力によって引き寄せられ、これらに付着し汚染してしまう。
【００６５】
次に、第１の実施の形態によるシールド部材１４が設けられた静電塗装機１によって塗装を施した場合の電気力線および塗料粒子の飛行状態について、図４を参照しつつ説明する。
【００６６】
回転霧化頭４の放出端縁４Ｄから塗料粒子を噴霧したときには、外部電極部材６の各電極６Ｃは、接地電位に保持されている被塗物１５との間に電気力線２３を形成する。これにより、塗料粒子を電気力線２３に沿わせて被塗物１５に効率よく供給することができる。
【００６７】
この場合、回転霧化頭４、シェーピングエア噴出部材９も接地電位に保持されている。しかし、回転霧化頭４と各電極６Ｃとの間には、接地電位に保持されたシールド部材１４が設けられている。従って、外部電極部材６の各電極６Ｃから回転霧化頭４の放出端縁４Ｄに向かう電気力線は、シールド部材１４によって遮蔽することができる。具体的には、各電極６Ｃとシールド部材１４の周縁部１４Ｃとの間に電気力線２４が形成されることにより、各電極６Ｃと回転霧化頭４との間の電気力線の密度を希薄にすることができる。
【００６８】
さらに、シールド部材１４の周縁部１４Ｃでは、電気力線２４によって放電が生じる。このとき、周縁部１４Ｃよりも前側では、各エア噴出孔１０，１２から噴出されたシェーピングエアが、周囲の空気を巻き込んで回転霧化頭４の前方に流れている。このため、シールド部材１４の周縁部１４Ｃの放電で発生したイオン粒子は、回転霧化頭４の前方で塗料粒子に衝突し、この塗料粒子に衝突帯電が生じる。
【００６９】
これにより、回転霧化頭４から噴霧された塗料粒子が負極性に帯電する帯電領域２５（二点鎖線で囲まれた範囲）は、回転霧化頭４の放出端縁４Ｄから外側かつ前側に離れた位置に設定することができる。従って、回転霧化頭４の放出端縁４Ｄから噴霧された塗料粒子は、帯電領域２５に達するまでに、シェーピングエアによって被塗物１５に向けて加速することができる。これにより、帯電領域２５で塗料粒子が負極性に帯電した場合には、塗料粒子が静電塗装機１側に飛行することがないから、塗料粒子の戻りによる静電塗装機１の汚染を防止しつつ、被塗物１５への塗着効率を向上することができる。
【００７０】
かくして、第１の実施の形態によれば、シェーピングエア噴出部材９の前面部位９Ｄの外径側には、仮想境界面９Ｅから径方向の外側に延びる円環状体からなるシールド部材１４を設けている。これにより、シールド部材１４は、外部電極部材６の各電極６Ｃから回転霧化頭４に向かう電気力線を遮蔽することができる。これにより、塗料粒子は、被塗物１５に向けて加速した後に帯電するから、戻り塗料によるシェーピングエア噴出部材９を含む静電塗装機１の汚染を抑制することができる。
【００７１】
この結果、シールド部材１４を設けたことによって付着した塗料の洗浄作業を行う頻度を低減することができるから、静電塗装機１を用いて塗装作業を行った場合の生産性を向上することができる。
【００７２】
シールド部材１４は、シェーピングエア噴出部材９の外径側から径方向の外向きに延びる円環状の板体として形成している。従って、板体からなるシールド部材１４は容易に設けることができ、塗料の付着による汚染を安価に防止することができる。また、薄肉なシールド部材１４は、その周縁部１４Ｃに電気力線を集中させることができる。
【００７３】
しかも、シールド部材１４は、シェーピングエア噴出部材９と一体に形成されているから、シールド部材１４は、シェーピングエア噴出部材９を介して接地電位に保持することができる。この上で、シェーピングエア噴出部材９とシールド部材１４との取付け隙間に塗料が浸入するような事態を未然に防ぐことができ、洗浄時間を短縮することができる。
【００７４】
エアモータ３の外周側には、エアモータ３を取囲み、かつエアモータ３よりも後方に延びた塗装機支持体２が設けられている。また、外部電極部材６は、塗装機支持体２の外周側に設けられ絶縁性樹脂材料からなる環状の外部電極支持筒体６Ａと、該外部電極支持筒体６Ａの前端側に周方向に配列された複数個の電極６Ｃとを含んで構成されている。これにより、塗装機支持体２の外周側に外部電極部材６を絶縁状態で配置することができる。また、複数個の電極６Ｃをコンパクトに纏めることができるから、外部電極部材６を小型化でき、狭い場所の塗装に適した塗装機とすることができる。
【００７５】
外部電極部材６とシェーピングエア噴出部材９との間には、エアモータ３を取囲んだ状態で筒状に形成された内側カバー部材７と、内側カバー部材７の外側を取囲んだ外側カバー部材８とが設けられている。従って、エアモータ３は、内側カバー部材７と外側カバー部材８とによって覆い隠されている。この場合、外表面が滑らかな円弧状に形成された外側カバー部材８は、塗料が付着したとしても、付着塗料を短時間で確実に洗浄することができる。
【００７６】
さらに、シールド部材１４は、鍔状に形成しているから、その周縁部１４Ｃでは、電気力線２４が集中して放電が生じる。この放電によるイオン粒子は、シェーピングエアによる空気の流れによって回転霧化頭４の前方で塗料粒子に衝突する。これにより、塗料粒子が被塗物１５に向けて十分に加速した帯電領域２５で塗料粒子を帯電させることができる。
【００７７】
次に、図５は本発明の第２の実施の形態を示している。第２の実施の形態の特徴は、シールド部材を、シェーピングエア噴出部材の前側部位の外径側から前側に向けて拡開したテーパ状体として形成したことにある。この第２の実施の形態では、前述した第１の実施の形態と同様の構成要素に同一の符号を付し、その説明を省略するものとする。
【００７８】
図５において、第２の実施の形態によるシールド部材３１は、第１の実施の形態によるシールド部材１４とほぼ同様に、シェーピングエア噴出部材９の前面部位９Ｄの外径側に位置して、径方向に延びる円環状体として形成されている。具体的には、シールド部材３１は、シェーピングエア噴出部材９の前側部位の外径側に設けられた仮想境界面９Ｅを、シェーピングエア噴出部材９との境とし、この仮想境界面９Ｅよりも外径側に設けられている。
【００７９】
しかし、第２の実施の形態によるシールド部材３１は、前側に向けて拡開したテーパ状体として形成されている点で、第１の実施の形態によるシールド部材１４と相違している。
【００８０】
かくして、このように構成された第２の実施の形態においても、前述した第１の実施の形態とほぼ同様の作用効果を得ることができる。特に、第２の実施の形態によれば、シールド部材３１をテーパ状体として形成しているから、シールド部材３１は、直径寸法を小さく形成した場合でも、外部電極部材６の各電極６Ｃと回転霧化頭４の放出端縁４Ｄとの間を遮ることができる。これにより、狭い場所や入り組んだ場所で塗装を行う場合の作業性を向上することができる。この上で、シールド部材３１は、外部電極部材６の各電極６Ｃから放出端縁４Ｄに向かう電気力線を減少させることができ、放出端縁４Ｄでの放電をさらに抑制することができる。また、外部電極部材６を前側に配置した場合でも、シールド部材３１は、各電極６Ｃの針状部６Ｃ１と回転霧化頭４の放出端縁４Ｄとを繋ぐ直線を遮る位置に形成することができる。
【００８１】
次に、図６は本発明の第３の実施の形態を示している。第３の実施の形態の特徴は、シールド部材は、シェーピングエア噴出部材と別個に設けられた導電性材料からなり、シェーピングエア噴出部材の外径側に電気的に接続された状態で取付ける構成としたことにある。この第３の実施の形態では、前述した第１の実施の形態と同様の構成要素に同一の符号を付し、その説明を省略するものとする。
【００８２】
図６において、第３の実施の形態によるシールド部材４１は、シェーピングエア噴出部材９と別個に設けられている。また、シールド部材４１は、例えばアルミニウム合金を含む導電性金属材料から形成され、シェーピングエア噴出部材９の外径側に電気的に接続されている。
【００８３】
シールド部材４１は、シェーピングエア噴出部材９の外周面９Ｂに外嵌して取付けられた円筒状の取付リング４１Ａと、該取付リング４１Ａの外周側に複数本のステー４１Ｂを介して設けられた円環状のシールド円板４１Ｃとにより構成されている。このシールド円板４１Ｃは、径方向の外側に向け前側に傾斜することによりテーパ状に形成されている。また、シールド円板４１Ｃは、例えば外部電極部材６の各電極６Ｃの針状部６Ｃ１と回転霧化頭４の放出端縁４Ｄとを繋ぐ直線を遮る位置に配置されている。
【００８４】
かくして、このように構成された第３の実施の形態においても、前述した第１の実施の形態とほぼ同様の作用効果を得ることができる。特に、第３の実施の形態によれば、シールド部材４１は、シェーピングエア噴出部材９と別個に設けているから、既存のシェーピングエア噴出部材９に対して後付でシールド部材４１を設けることができる。また、シールド部材４１は、シールド円板４１Ｃの位置、角度、大きさを適宜に設定することができる。このため、外部電極部材６の位置が前，後方向や径方向に異なる場合でも、シールド部材４１は、各電極６Ｃの針状部６Ｃ１と回転霧化頭４の放出端縁４Ｄとを繋ぐ直線を遮る位置に形成することができ、設計時の自由度、汎用性等を高めることができる。
【００８５】
次に、図７は本発明の第４の実施の形態を示している。第４の実施の形態の特徴は、シールド部材は、シェーピングエア噴出部材の外周面と一体的に設ける構成としたことにある。この第４の実施の形態では、前述した第１の実施の形態と同様の構成要素に同一の符号を付し、その説明を省略するものとする。
【００８６】
図７において、第４の実施の形態によるシールド部材５１は、シェーピングエア噴出部材９の外径側を厚肉に形成することにより、シェーピングエア噴出部材９と一体的に設けられている。シールド部材５１は、例えば、外部電極部材６の各電極６Ｃの針状部６Ｃ１と回転霧化頭４の放出端縁４Ｄとを繋ぐ直線を遮る位置まで厚肉に形成されている。この上で、シールド部材５１の前端の外周部位は、ほぼ直角な角部５１Ａとなっている。この角部５１Ａは、第１の実施の形態によるシールド部材１４の周縁部１４Ｃと同様に、電気力線が集中して放電を生じることができる。
【００８７】
かくして、このように構成された第４の実施の形態においても、前述した第１の実施の形態とほぼ同様の作用効果を得ることができる。特に、第４の実施の形態によれば、シールド部材５１による凹凸を少なくすることができ、洗浄性を良好にすることができる。
【００８８】
なお、第１の実施の形態では、シールド部材１４は、円環状の板体(鍔状体)として形成した場合を例に挙げて説明している。しかし、本発明はこれに限らず、例えば、図８に示す第１の変形例のように形成してもよい。即ち、第１の変形例によるシールド部材６１は、円形状に加工した針金を１個または複数個配置し、これをシェーピングエア噴出部材９に電気的に接続する構成としている。
【００８９】
また、図９に示す第２の変形例のように形成してもよい。即ち、第２の変形例によるシールド部材７１は、導電性の網部材を円環状に形成し、これをシェーピングエア噴出部材９に電気的に接続する構成としている。網部材以外にも、金属板に多数個の孔を形成したパンチングプレートと呼ばれる板体を用いることもできる。これらの構成は、他の実施の形態にも同様に適用できるものである。
【００９０】
一方、第１の実施の形態では、外部電極部材６は、塗装機支持体２の外周側に設けられた環状の外部電極支持筒体６Ａと、該外部電極支持筒体６Ａに周方向に等間隔で複数個配列された電極取付穴６Ｂと、該各電極取付穴６Ｂにそれぞれ取付けられた電極６Ｃとを含んで構成した場合を例示している。しかし、本発明はこれに限らず、例えば、図１０に示す第３の変形例のように構成してもよい。即ち、第３の変形例による外部電極部材８１は、塗装機支持体２の外周側に設けられた環状の外部電極支持筒体８１Ａと、該外部電極支持筒体８１Ａの前部に周方向に等間隔で複数本配列され、前方に向けて延びた電極棒８１Ｂと、該各電極棒８１Ｂの先端から突出した電極８１Ｃとを含んで構成されている。これらの構成は、他の実施の形態にも同様に適用できるものである。
【００９１】
さらに、第３の変形例以外にも、図１１に示す第４の変形例のように構成してもよい。この第４の変形例では、塗料粒子を負極性に効率よく帯電させるために、外部電極部材９１の各電極棒９１Ｂは、その先端部がシェーピングエア噴出部材９の前面部位９Ｄに近い位置に配置され、各電極棒９１Ｂには電極９１Ｃが突出して設けられている。
【００９２】
ここで、第４の変形例のように、各電極棒９１Ｂの先端部が回転霧化頭４の放出端縁４Ｄに近付けられた場合には、第２の実施の形態によるシールド部材３１とほぼ同様に、前側に向けて拡開したテーパ状体からなるシールド部材９２が好適に用いられる。即ち、テーパ状体からなるシールド部材９２は、前方に配置された電極棒９１Ｂの先端（電極９１Ｃ）と回転霧化頭４の放出端縁４Ｄとを結ぶ直線を遮るのに適した形状となっている。具体的には、テーパ状のシールド部材９２は、回転霧化頭４の拡開部位４Ｂの周囲を覆うのに適しており、径方向寸法を小さく抑えつつ、各電極９１Ｃからの電気力線を遮ることができる。
【符号の説明】
【００９３】
１  回転霧化頭型静電塗装機
２  塗装機支持体
３  エアモータ
３Ｃ  回転軸
４  回転霧化頭
４Ｄ  放出端縁（前端）
６，８１，９１  外部電極部材
６Ａ，８１Ａ，９１Ａ  外部電極支持筒体
６Ｃ，８１Ｃ，９１Ｃ  電極
７  内側カバー部材（カバー部材）
８  外側カバー部材（カバー部材）
９  シェーピングエア噴出部材
９Ｂ  外周面
９Ｄ  前面部位（前側部位）
１０  第１のエア噴出孔（エア噴出孔）
１２  第２のエア噴出孔（エア噴出孔）
１４，３１，４１，５１，６１，７１，９２  シールド部材
１４Ａ  前面部
１５  被塗物
１８，１９，２０，２３，２４  電気力線
８１Ｂ，９１Ｂ  電極棒
Ｄ  回転霧化頭の放出端縁の直径寸法
Ｅ  シールド部材の直径寸法
Ｌ  回転霧化頭の放出端縁とシールド部材との軸方向の距離寸法
【図１】
2017141963.tif 000005
【図２】
2017141963.tif 000006
【図３】
2017141963.tif 000007
【図４】
2017141963.tif 000008
【図５】
2017141963.tif 000009
【図６】
2017141963.tif 000010
【図７】
2017141963.tif 000011
【図８】
2017141963.tif 000012
【図９】
2017141963.tif 000013
【図１０】
2017141963.tif 000014
【図１１】
2017141963.tif 000015
【図１２】
2017141963.tif 000016
【国際調査報告】
2017141963.tif 000017
2017141963.tif 000018
2017141963.tif 000019